(57)【特許請求の範囲】
【請求項１】
複数の鋼線を撚り合わせて成るワイヤーロープを磁化させる磁化手段と、前記ワイヤーロープの漏洩磁束を検出する漏洩磁束検出手段と、前記ワイヤーロープと接触し、このワイヤーロープを案内する摺動部と、前記磁化手段、前記磁束検出手段、及び前記摺動部を保持し、本体を形成するベースとを有するワイヤーロープ探傷装置に連結される連結手段と、この連結手段を支持し、所定の部位に取り付けられる支持手段と備えたワイヤーロープ探傷装置の取付装置において、
前記支持手段は、前記連結手段を回動可能に支持し、前記連結手段の前記ワイヤーロープの径方向に沿う左右方向の移動を許容させるものから成るとともに、
前記ワイヤーロープの径方向に沿う上方向への前記連結部材の回動を制限する制限手段を備えたことを特徴とするワイヤーロープ探傷装置の取付装置。
【請求項２】
前記請求項１記載のワイヤーロープ探傷装置の取付装置において、
前記連結手段は、前記ワイヤーロープの伸長方向に沿って延設される棒体から成り、
前記支持手段は、前記連結手段を構成する前記棒体をその長手方向の位置調整可能に固定する支持具と、この支持具が左右方向の移動可能に係着され、前記連結手段を構成する前記棒体の長手方向と直交する方向に延設され、前記支持具を回動可能に支持する棒体と、この棒体を保持し、前記所定の部位に固定される保持部材とを含むことを特徴とするワイヤーロープ探傷装置の取付装置。
【請求項３】
前記請求項２記載のワイヤーロープ探傷装置の取付装置において、
前記ワイヤーロープ探傷装置、前記連結手段を構成する前記棒体、及び前記支持手段に含まれる前記支持具の組み合わせを、複数並設される前記ワイヤーロープに対応させて複数組設け、前記支持手段に含まれる前記棒体に、前記複数組それぞれの前記支持手段に含まれる前記支持具を係着させたことを特徴とするワイヤーロープ探傷装置の取付装置。
【請求項４】
前記請求項３記載のワイヤーロープ探傷装置の取付装置において、
前記制限手段が、前記支持手段に含まれる前記棒体の延設方向と平行に延設され、前記支持手段に含まれる前記保持部材に保持される長尺体から成ることを特徴とするワイヤーロープ探傷装置の取付装置。
【請求項５】
前記請求項４記載のワイヤーロープ探傷装置の取付装置において、
前記複数組に含まれる複数のワイヤーロープ探傷装置を、前記ワイヤーロープの伸長方向に対して互いに位置をずらして配置し、
前記支持手段に含まれる前記棒体から遠い側に位置するワイヤーロープ探傷装置に連結された前記連結手段を構成する前記棒体の、前記ワイヤーロープの径方向に沿う上方向の回動量を、前記支持手段に含まれる前記棒体に近い側に位置するワイヤーロープ探傷装置に連結される前記連結手段を構成する前記棒体の、前記ワイヤーロープの径方向に沿う上方向の回動量よりも少なくする抑制部材を備えたことを特徴とするワイヤーロープ探傷装置の取付装置。
【請求項６】
前記請求項４記載のワイヤーロープ探傷装置の取付装置において、
前記支持手段に含まれる前記保持手段に対する前記支持手段に含まれる前記棒体の高さ位置を調整可能な位置調整手段と、
前記保持手段に対する前記制限手段を構成する前記長尺体の高さ位置を調整可能な別の位置調整手段とを備えたことを特徴とするワイヤーロープ探傷装置の取付装置。
【請求項７】
前記請求項３記載のワイヤーロープ探傷装置の取付装置において、
前記複数組それぞれの前記ワイヤーロープ探傷装置を、互いの磁極方向を合わせて該当する前記連結手段を構成する前記棒体のそれぞれと連結させたことを特徴とするワイヤーロープ探傷装置の取付装置。
【発明の詳細な説明】
【技術分野】
【０００１】
本発明は、ワイヤーロープの素線破断を検出するワイヤーロープ探傷装置を所定の部位に取付けるワイヤーロープ探傷装置の取付装置に関する。
【背景技術】
【０００２】
エレベーター、リフト、ケーブルカー、あるいはクレーン等に使用されるワイヤーロープは、複数の素線から成る鋼線を撚って構成されている。このワイヤーロープは、使用するにつれて素線に破断を生じやすい。このような素線破断は経年的に増加する。したがって、ワイヤーロープの素線破断数を点検して、ワイヤーロープの管理、維持を行う必要がある。この素線破断数の点検を目視によって行おうとする場合には、行程が長いエレベーター等に係るワイヤーロープの場合には、長時間の目視点検作業となる。また、目視点検を実施するためには、ロープ油等が固着されているワイヤーロープの表面を清掃することが必要になる。さらに、ワイヤーロープの内部に生じている素線破断は、この目視点検では検出できない。
【０００３】
このようなことから、漏洩磁束法や電磁気探傷法を用いたワイヤーロープ探傷装置が従来から提案されている。
【０００４】
このようなワイヤーロープ探傷装置を所定の部位に取付ける従来の取付装置として、特許文献１に示されるものがある。図４は、この従来のワイヤーロープ探傷装置の取付装置を示す斜視図である。この図４に示す従来技術は、ワイヤーロープ５０を計測するワイヤーロープ探傷装置１ａに連結される連結手段、すなわち、ばねによる弾性を有する連結部材９ａと、この連結部材９ａを支持する丸棒１２ａと、この丸棒１２ａの両端のそれぞれを保持する一対のブラケット１１ａと、これらのブラケット１１ａが取付けられる所定の部位、すなわちマシンベース５１とが備えられている。連結部材９ａはねじ９ｂによって丸棒１２ａに固定されている。前述した丸棒１２ａと、ねじ９ｂと、ブラケット１１ａとによって連結部材９ａを支持する支持手段が構成されている。
【０００５】
この従来技術は、ワイヤーロープ５０を移動させることにより、このワイヤーロープ５０に接触させたワイヤーロープ探傷装置１ａによって、ワイヤーロープ５０に素線破断が生じているかどうか計測される。また、ワイヤーロープ５０の上下、左右方向の振動を含む挙動が連結部材９ａに含まれるばねの弾性によって吸収され、ワイヤーロープ探傷装置１ａをワイヤーロープ５０の上下、左右方向の挙動に追従させることができる。
【特許文献１】特開平９−２９０９７３号公報
【発明の開示】
【発明が解決しようとする課題】
【０００６】
前述した従来技術にあっては、ワイヤーロープ探傷装置１ａによる計測中に、ワイヤーロープ５０の素線破断によって素線が飛び出してしまった場合には、ワイヤーロープ探傷装置１ａがワイヤーロープ５０から外れ、ワイヤーロープ探傷装置１ａとワイヤーロープ５０とが干渉して、ワイヤーロープ探傷装置１ａの破損やワイヤーロープ５０の損傷を招く虞がある。また、この従来技術では、計測中のワイヤーロープ５０の挙動に追従させるために、連結部材９ａにばねを備えた複雑な構成になっており、製作が煩雑になりやすい。
【０００７】
本発明は、前述した従来技術における実状からなされたもので、その目的は、簡単な構成でワイヤーロープの挙動にワイヤーロープ探傷装置を追従させることができるとともに、従来生じる虞があった計測中にワイヤーロープ探傷装置がワイヤーロープから外れることを防止できるワイヤーロープ探傷装置の取付装置を提供することにある。
【課題を解決するための手段】
【０００８】
前記目的を達成するために、本発明に係るワイヤーロープ探傷装置の取付装置は、本発明に係るワイヤーロープ探傷装置の取付装置は、複数の鋼線を撚り合わせて成るワイヤーロープを磁化させる磁化手段と、前記ワイヤーロープの漏洩磁束を検出する漏洩磁束検出手段と、前記ワイヤーロープと接触し、このワイヤーロープを案内する摺動部と、前記磁化手段、前記磁束検出手段、及び前記摺動部を保持し、本体を形成するベースとを有するワイヤーロープ探傷装置に連結される連結手段と、この連結手段を支持し、所定の部位に取り付けられる支持手段と備えたワイヤーロープ探傷装置の取付装置において、前記支持手段は、前記連結手段を回動可能に支持し、前記連結手段の前記ワイヤーロープの径方向に沿う左右方向の移動を許容させるものから成るとともに、前記ワイヤーロープの径方向に沿う上方向への前記連結部材の回動を制限する制限手段を備えたことを特徴としている。
【０００９】
このように構成した本発明は、ワイヤーロープ探傷装置による計測中のワイヤーロープの挙動を、ばねによる弾性力を介在させることなく、支持手段に対する連結手段の回動動作、及び連結手段の左右方向の移動動作によって吸収できる。すなわち、簡単な構成でワイヤーロープ探傷装置を、計測中のワイヤーロープの上下、左右方向の挙動に追従させることができる。また、制限手段によって、ワイヤーロープの径方向に沿う上方向の連結手段の回動を制限できるので、ワイヤーロープの素線破断によって素線が飛び出している場合でも、ワイヤーロープ探傷装置がワイヤーロープから外れることを防止できる。
【００１０】
また、本発明に係るワイヤーロープ探傷装置の取付装置は、前記発明において、前記連結手段は、前記ワイヤーロープの伸長方向に沿って延設される棒体から成り、前記支持手段は、前記連結手段を構成する前記棒体をその長手方向の位置調整可能に固定する支持具と、この支持具が左右方向の移動可能に係着され、前記連結手段を構成する前記棒体の長手方向と直交する方向に延設され、前記支持具を回動可能に支持する棒体と、この棒体を保持し、前記所定の部位に固定される保持部材とを含むことを特徴としている。
【００１１】
このように構成した本発明は、連結手段を構成する棒体を支持具に対して位置調整することにより、ワイヤーロープ探傷装置を、ワイヤーロープの伸長方向に対して容易に所望の位置に位置決めすることができる。また、支持手段に含まれる棒体と支持具とによって、簡単な構成で連結手段を回動可能に保持することができる。さらに、支持手段に含まれる支持具を支持手段に含まれる棒体の長手方向に移動させることにより、ワイヤーロープの径方向に沿う左右方向に対してワイヤーロープ探傷装置を正しく位置決めすることができる。
【００１２】
また、本発明に係るワイヤーロープ探傷装置の取付装置は、前記発明において、前記ワイヤーロープ探傷装置、前記連結手段を構成する前記棒体、及び前記支持手段に含まれる前記支持具の組み合わせを、複数並設される前記ワイヤーロープに対応させて複数組設け、前記支持手段に含まれる前記棒体に、前記複数組それぞれの前記支持手段に含まれる前記支持具を係着させたことを特徴としている。
【００１３】
このように構成した本発明は、複数組に含まれる支持具のそれぞれが、支持手段を構成する棒体に個別に保持されるので、それぞれ他のワイヤーロープの挙動による影響を受けることなく、該当するワイヤーロープ探傷装置によってワイヤーロープの計測を行なうことができる。
【００１４】
また、本発明に係るワイヤーロープ探傷装置の取付装置は、前記発明において、前記制限手段が、前記支持手段に含まれる前記棒体の延設方向と平行に延設され、前記支持手段に含まれる前記保持部材に保持される長尺体から成ることを特徴としている。
【００１５】
このように構成した本発明は、制限手段を例えば丸棒等の長尺体から成る簡単な構成とすることができる。
【００１６】
また、本発明に係るワイヤーロープ探傷装置の取付装置は、前記発明において、前記複数組に含まれる複数のワイヤーロープ探傷装置を、前記ワイヤーロープの伸長方向に対して互いに位置をずらして配置し、前記支持手段に含まれる前記棒体から遠い側に位置するワイヤーロープ探傷装置に連結された前記連結手段を構成する前記棒体の、前記ワイヤーロープの径方向に沿う上方向の回動量を、前記支持手段に含まれる前記棒体に近い側に位置するワイヤーロープ探傷装置に連結される前記連結手段を構成する前記棒体の、前記ワイヤーロープの径方向に沿う上方向の回動量よりも少なくする抑制部材を備えたことを特徴としている。
【００１７】
このように構成した本発明は、支持手段を構成する棒体の近くに配置されたワイヤーロープ探傷装置の計測中のワイヤーロープからの浮き上がり量の上限値と、前述した棒体から遠くに位置するワイヤーロープ探傷装置の計測中のワイヤーロープからの浮き上がり量の上限値とを、抑制部材によってほぼ同等とすることができる。
【００１８】
また、本発明に係るワイヤーロープ探傷装置の取付装置は、前記発明において、前記支持手段に含まれる前記保持手段に対する前記支持手段に含まれる前記棒体の高さ位置を調整可能な位置調整手段と、前記保持手段に対する前記制限手段を構成する前記長尺体の高さ位置を調整可能な別の位置調整手段とを備えたことを特徴としている。
【００１９】
このように構成した本発明は、位置調整手段によって、ワイヤーロープの計測に際して支持部材に含まれる棒体、及び支持具の高さ位置を調整して、ワイヤーロープ探傷装置をワイヤーロープに接触する状態に容易に取付けることができる。また、別の位置調整手段によって、制限手段を構成する長尺体の、連結手段を構成する棒体からの高さ位置を調整して、計測中のワイヤーロープからのワイヤーロープ探傷装置の浮き上がり量の上限値を所望の量に容易に調整することができる。
【００２０】
また、本発明に係るワイヤーロープ探傷装置の取付装置は、前記発明において、前記複数組それぞれの前記ワイヤーロープ探傷装置を、互いの磁極方向を合わせて該当する前記連結手段を構成する前記棒体のそれぞれと連結させたことを特徴としている。
【００２１】
このように構成した本発明は、隣り合うワイヤーロープの残留磁気の影響を小さくすることができる。
【発明の効果】
【００２２】
本発明によれば、所定の部位に取付けられる支持手段は、ワイヤーロープを計測するワイヤーロープ探傷装置に連結される連結手段を回動可能に支持し、連結手段のワイヤーロープの径方向に沿う左右方向の移動を許容させるものから成るとともに、ワイヤーロープの径方向に沿う上方向への連結部材の回動を制限する制限手段を備えたことから、従来よりも簡単な構成でワイヤーロープの挙動にワイヤーロープ探傷装置を追従させることができるとともに、従来生じる虞があった計測中にワイヤーロープ探傷装置がワイヤーロープから外れることを防止できる。これによって製作が容易となり、ワイヤーロープによる優れた検出精度を簡単な構成で確保できるとともに、従来生じる虞のあった計測中のワイヤーロープ探傷装置がワイヤーロープから外れることによるワイヤーロープ探傷装置の破損や、ワイヤーロープの損傷を招くことがなく、信頼性の高いワイヤーロープの計測を実現させることができる。
【発明を実施するための最良の形態】
【００２３】
以下、本発明のワイヤーロープ探傷装置の取付装置に関する実施形態を図に基づいて説明する。
【００２４】
図１は本発明に係るワイヤーロープ探傷装置の取付装置の一実施形態の要部を示す図で、（ａ）図は側面図、（ｂ）図は正面図、図２は本実施形態を計測に際してワイヤーロープに対して取付けた状態を示す図で、（ａ）図は側面図、（ｂ）図は正面図、図３は図２の要部を拡大して示した図で、（ａ）図は図２の（ａ）図の要部を拡大して示した図、（ｂ）図は図２の（ｂ）図の要部を拡大して示した図である。
【００２５】
本実施形態の取付装置の取付け対象物である図１に示すワイヤーロープ探傷装置１は、図示しないが複数の鋼線を撚り合わせて成るワイヤーロープを磁化させる磁化手段、例えば永久磁石と、ワイヤーロープの漏洩磁束を検出する磁束検出手段とを備えている。また、ワイヤーロープと接触し、このワイヤーロープを案内する同図１の（ｂ）図に示す摺動部１Ａを備えている。これらの永久磁石、磁束検出手段、及び摺動部１Ａは、本体を形成するベース３に固定されている。
【００２６】
本実施形態に係るワイヤーロープ探傷装置１の取付装置は、ワイヤーロープ探傷装置１に連結される連結手段、例えば図１の（ａ）図に示すように、ワイヤーロープの伸長方向に沿って延設される棒体である丸棒９と、この丸棒９を回動可能に支持するとともに、この丸棒９のワイヤーロープの径方向に沿う左右方向の移動を許容させるように支持する支持手段とを備えている。
【００２７】
連結手段を構成する丸棒９は、一端側が、ワイヤーロープ探傷装置１のベース３に固定した支持部７に、ジョイント８を介して回動可能に取付けられている。また、前述した支持手段は、図１の（ａ）図に示すように、つまみ１０ｂを介して連結手段を構成する丸棒９の他端側を長手方向の位置調整可能に固定する支持具１０と、この支持具１０に係着され、例えば支持具１０に形成された丸穴１０ａ内に挿入され、図２の（ｂ）図に示すように、連結手段を構成する丸棒９の長手方向と直交する方向に延設され、支持具１０を回動可能に、及び左右方向の移動可能に支持する棒体である丸棒１２と、この丸棒１２の両端を保持し、所定の部位に固定される保持部材、例えばＬ字形状に形成された一対のブラケット１１とを含んでいる。
【００２８】
Ｌ字形状のブラケット１１のそれぞれには、高さ方向に沿う丸棒１２の移動を許容させるスリット１１ａを形成してある。また、丸棒１２の両端部のそれぞれには、つまみ１３ａを有し、スリット１１ａ内を移動させた丸棒１２をブラケット１１に固定する固定具１３を装着させてある。ブラケット１１のスリット１１ａと、つまみ１３ａを有する固定具１３は、ブラケット１１に対する丸棒１２の高さ位置を調整する位置調整手段を構成している。
【００２９】
図１に示すワイヤーロープ探傷装置１、連結手段を構成する丸棒９、及び支持手段を構成する支持具１０の組み合わせを複数組予め用意し、これらの複数組を図２に示すように、例えばエレベーターに備えられる図示しない綱車とそらせ車との間に位置する所定の部位であるマシンベース５１上に、丸棒１２及びブラケット１１を介して固定するようにしてある。
【００３０】
同図２に示したように、例えばワイヤーロープ５０が７本配置されており、これに対応させてワイヤーロープ探傷装置１、丸棒９、及び支持具１０の組み合わせを７組設けてある。これらの７組に含まれる支持具１０の丸穴１０ａ内に１本の丸棒１２を挿通させてあり、この丸棒１２の両端のそれぞれを固定具１３によって一対のブラケット１１に固定してある。７個のワイヤーロープ探傷装置１は、図２の（ｂ）図に示すように、丸棒１２に近い側に配置され、互いに並設される３個のワイヤーロープ探傷装置１と、丸棒１２から遠い側に配置され、互いに並設される４個のワイヤーロープ探傷装置１とから構成されている。すなわち、３個のワイヤーロープ探傷装置１と、４個のワイヤーロープ探傷装置１を、ワイヤーロープ５０の伸長方向に対して位置をずらして配置してある。
【００３１】
４個のワイヤーロープ探傷装置１は、外側に位置する２本のワイヤーロープ５０に接触するように取付けられるとともに、ワイヤーロープ５０に対して１つ置きに、それぞれワイヤーロープ５０に接触するように取付けてある。このように４個のワイヤーロープ探傷装置１が１つ置きに取付けられるワイヤーロープ５０の間に位置する３本のワイヤーロープ５０のそれぞれに接触するように、前述した３個のワイヤーロープ探傷装置１を配置してある。これらの７個のワイヤーロープ探傷装置１は、互いの磁極方向を合わせて、連結手段を構成する丸棒９に連結してある。
【００３２】
本実施形態に係る取付装置は、ワイヤーロープ５０の径方向に沿う上方向の丸棒９の回動を制限する制限手段を備えている。この制限手段は、例えば図２の（ｂ）図に示すように、支持手段を構成する丸棒１２の延設方向と平行に延設され、ブラケット１１に両端が保持される１本の長尺体１４から成っている。
【００３３】
この長尺体１４の両端も、前述した支持手段を構成する丸棒１２と同様に、その両端が一対のブラケット１１のそれぞれのスリット１１ａに移動可能に収容させてあり、つまみ１５ａを有する固定具１５によって、ブラケット１１のそれぞれに固定されるようになっている。ブラケット１１のスリット１１ａと、つまみ１５ａを有する固定具１５は、ブラケット１１に対する長尺体１４の高さ位置を調整する別の位置調整手段を構成している。
【００３４】
また、本実施形態に係る取付装置は、図３の（ａ）（ｂ）図に示すように、支持手段に含まれる丸棒１２から遠い側に位置するワイヤーロープ探傷装置１に連結された連結手段を構成する丸棒９の、ワイヤーロープ５０の径方向に沿う上方向の回動量を、支持手段に含まれる丸棒１２に近い側に位置するワイヤーロープ探傷装置１に連結される連結手段を構成する丸棒９の、ワイヤーロープ５０の径方向に沿う上方向の回動量よりも少なくする抑制部材、例えば突起体１６を、制限手段を構成する長尺体１４に設けてある。この突起体１６は、同図３の（ｂ）図に示すように、制限手段を構成する長尺体１４から遠い側に位置する４個のワイヤーロープ探傷装置１のそれぞれに連結される連結手段を構成する丸棒９に対向するように長尺体１４に取付けてある。
【００３５】
本実施形態は、エレベーターに備えられるマシンベース５１に取付けられ、７本のワイヤーロープ探傷装置１のそれぞれを該当する７本のワイヤーロープ５０に接触させた状態で、これらのワイヤーロープ５０を移動させることにより，ワイヤーロープ５０に素線破断が生じているかどうか計測される。すなわち、ワイヤーロープ探傷装置１に含まれる磁束検出手段から出力される漏洩磁束に係る信号によって、ワイヤーロープ５０内の素線破断の有無が計測される。
【００３６】
このように構成した本実施形態によれば、ワイヤーロープ探傷装置１のそれぞれによる計測中のワイヤーロープ５０の上下、左右方向の挙動を、ばね部材による弾性力を介在させることなく、支持手段を構成する丸棒１２に対する連結手段を構成する丸棒９の回動動作、及び丸棒１２に対する支持具１０の左右方向の移動動作によって吸収できる。すなわち、簡単な構成で、ワイヤーロープ探傷装置１を計測中のワイヤーロープ５０の挙動に追従させることができる。これによって、製作が容易となり、ワイヤーロープ探傷装置１による優れた検出精度を確保できる。また、制限手段を構成する長尺体１４によって、ワイヤーロープ５０の径方向に沿う上方向の、連結手段を構成する丸棒９の回動を制限できるので、ワイヤーロープ５０の素線破断によって素線が飛び出している場合でも、ワイヤーロープ損傷装置１がワイヤーロープ５０から外れることを防止できる。これにより、計測中におけるワイヤーロープ探傷装置１の破損やワイヤーロープ５０の損傷を招くことなく、信頼性の高いワイヤーロープ５０の計測を実現できる。
【００３７】
また、連結手段を構成する丸棒９を支持具１０に対して位置調整することにより、ワイヤーロープ探傷装置１をワイヤーロープ５０の伸長方向に対して所望の位置に容易に位置決めすることができる。また、支持手段に含まれる丸棒１２と支持具１０とによって、簡単な構成で連結手段を構成する丸棒９を回動可能に保持させることができる。さらに、支持具１０を支持手段を構成する丸棒１２の長手方向に移動させることにより、複数のワイヤーロープ５０の径方向、すなわち幅方向に対してワイヤーロープ探傷装置１を容易に位置決めすることができる。
【００３８】
また、７つの組に含まれる支持具１０のそれぞれが、支持手段を構成する丸棒１２に個別に保持されるので、それぞれ他のワイヤーロープ５０の挙動による影響を受けることなく、該当するワイヤーロープ探傷装置１によってワイヤーロープ５０の計測を行なうことができ、検出精度を高めることに貢献する。
【００３９】
また、制限手段を長尺体１４から成る簡単な構成とすることができ、実用性に富む。
【００４０】
また、支持手段を構成する丸棒１２の近くに配置された３個のワイヤーロープ探傷装置１の計測中のワイヤーロープ５０からの浮き上がり量の上限値と、丸棒１２から遠く配置された４個のワイヤーロープ探傷装置１の計測中の浮き上がり量の上限値を、図３に示す抑制部材を構成する突起体１６を介してほぼ同等にすることができ、検出精度を高めることに貢献する。
【００４１】
また、位置調整手段を構成するブラケット１１のスリット１１ａ、及びつまみ１３ａを有する固定具１３によって、ワイヤーロープ５０の計測に際して丸棒１２及び支持具１０の高さ位置を調整してワイヤーロープ探傷装置１をワイヤーロープ５０に接触する状態に容易に取付けることができる。また、別の位置調整手段を構成するブラケット１１のスリット１１ａ、及びつまみ１５ａを有する固定具１５によって、制限手段を構成する長尺体１４の高さ位置を調整でき、計測中のワイヤーロープ５０の浮き上がり量を所望の量に、例えば浮き上がり量の上限値がワイヤーロープ５０の半径程度となるように、長尺体１４を容易に位置決めすることができる。
【００４２】
また、７つの組のそれぞれのワイヤーロープ探傷装置１を、互いの磁極方向を合わせて連結手段を構成する丸棒９のそれぞれに連結したことから、該当するワイヤーロープ５０の計測に際して、他のワイヤーロープ５０の残留磁気の影響を小さくすることができ、検出精度を高めることに貢献する。
【００４３】
なお、前記実施形態に係る取付位置では、エレベーターに備えられるワイヤーロープ５０の計測に際し適用したが、本発明は、このようにエレベーターに備えられるワイヤーロープ５０の計測に適用することには限られず、エレベーター以外の他の装置、機器に備えられるワイヤーロープの計測に際しても適用可能である。また、エレベーターに適用する場合、前記実施形態におけるように取付ける部位を図示しない綱車とそらせ車の間に位置するマシンベース５１とすることには限られず、別の部位に取付けるようにしてもよい。
【００４４】
また、実施形態では、ワイヤーロープ５０を７本備えたものに適用させたが、１本あるいは７本とは異なる複数本のワイヤーロープ５０の計測に際して適用できることはもちろんである。
【００４５】
また、前記実施形態では、ワイヤーロープ５０からのワイヤーロープ探傷装置１の浮き上がり量を調整する抑制手段として、制限手段を構成する長尺体１４に取付けられる突起体１６を設けたが、本発明は、このように突起体１６を設ける構成にすることには限られない。突起体１６に代えて抑制手段を、長尺体１４と平行に配置される別の丸棒等の棒体によって構成するようにしてもよい。
【図面の簡単な説明】
【００４６】
【図１】本発明に係るワイヤーロープ探傷装置の取付装置の一実施形態の要部を示す図で、（ａ）図は側面図、（ｂ）図は正面図である。
【図２】本実施形態を計測に際してワイヤーロープに対して取付けた状態を示す図で、（ａ）図は側面図、（ｂ）図は正面図である。
【図３】図２の要部を拡大して示した図で、（ａ）図は図２の（ａ）図の要部を拡大して示した図、（ｂ）図は図２の（ｂ）図の要部を拡大して示した図である。
【図４】従来のワイヤーロープ探傷装置の取付装置を示す斜視図である。
【符号の説明】
【００４７】
１    ワイヤーロープ探傷装置
１Ａ  摺動部
３    ベース
７    支持部
８    ジョイント
９    丸棒〔棒体〕〔連結手段〕
１０    支持具〔支持手段〕
１０ａ  丸穴
１０ｂ  つまみ
１１    ブラケット〔保持部材〕〔支持手段〕
１１ａ  スリット〔位置調整手段〕〔別の位置調整手段〕
１２    丸棒〔棒体〕〔支持手段〕
１３    固定具〔位置調整手段〕
１３ａ  つまみ
１４    丸棒〔長尺体〕〔制限手段〕
１５    固定具〔別の位置調整手段〕
１５ａ  つまみ
１６    突起体（抑制部材）
５０    ワイヤーロープ
５１    マシンベース〔所定の部位〕
【図１】
0004951579.tif 000002
【図２】
0004951579.tif 000003
【図３】
0004951579.tif 000004
【図４】
0004951579.tif 000005